(57)【要約】【課題】成形体を製造する際に、添加材料が大幅に減少し、製造コストの上昇が抑制される多層成形体及びその製造方法を提供すること。【解決手段】垂直方向の振動を発生させる加振器を備えた振動テーブルの上に載置した金型内で、組成が異なる複数の原料を振動衝撃圧縮成形した多層成形体であって、金型１０に組成が異なる複数の原料を区分して充填する操作の中に、（Ａ）原料の種類を横方向及び／又は縦方向に変える境界を設ける金型内の箇所に仮設の仕切り板２０を挿入する工程、（Ｂ）仕切り板２０によって仕切られた複数の区画に、それぞれ所定の組成を有する原料を装入する工程、（Ｃ）仕切り板２０を取り外す工程、を含むことにより製造される。【選択図】　　　　　　図１
2004098474.tif 000002
【特許請求の範囲】
【請求項１】
垂直方向の振動を発生させる加振器を備えた振動テーブルの上に載置した金型内で、組成が異なる複数の原料を振動衝撃圧縮成形した多層成形体であって、金型に組成が異なる複数の原料を区分して充填する操作の中に、次の（Ａ）から（Ｃ）の工程を含むことにより製造されたことを特徴とする多層成形体。
（Ａ）原料の種類を横方向及び／又は縦方向に変える境界を設ける金型内の箇所に仮設の仕切り板を挿入する工程
（Ｂ）前記仕切り板によって仕切られた複数の区画に、それぞれ所定の組成を有する原料を装入する工程
（Ｃ）前記仕切り板を取り外す工程
【請求項２】
垂直方向の振動を発生させる加振器を備えた振動テーブルの上に原料を充填した金型を載置し、前記加振器を作動させて原料を振動衝撃圧縮成形すると共に、性状が異なる複数の層が形成された多層成形体を製造する方法において、金型に組成が異なる複数の原料を区分して充填する操作の中に、次の（Ａ）から（Ｃ）の工程を含むことを特徴とする多層成形体の製造方法。
（Ａ）原料の種類を横方向及び／又は縦方向に変える境界を設ける金型内の箇所に仮設の仕切り板を挿入する工程
（Ｂ）前記仕切り板によって仕切られた複数の区画に、それぞれ所定の組成を有する原料を装入する工程
（Ｃ）前記仕切り板を取り外す工程
【発明の詳細な説明】
【０００１】
【発明の属する技術分野】
本発明は、性状が異なる複数の層が形成された多層成形体及びその製造方法に関する。
【０００２】
【従来の技術】
石炭火力発電所や、都市ごみや下水汚泥などの廃棄物を焼却する施設においては、大量の焼却灰が排出される。これらの焼却灰のうち、石炭灰はかなりの量がセメント原料やコンクリートの混和材等の用途に利用されているが、残りについては、埋立て処分されている。又、都市ごみ焼却灰や下水汚泥の焼却灰については、その殆どが埋立て処分されている。
【０００３】
このような状況にあって、近年、廃棄物の埋立て処分場の新設が困難になると共に、資源リサイクルの必要性が叫ばれるようになり、焼却灰を原料として土木建築用材料などの用途に供する製品を製造する検討がなされている。
【０００４】
焼却灰を原料とする製品の一つとして、土木用あるいは建築用のブロックなどの成形体がある。これらの成形体は、現在、焼却灰にセメントと水を加えて混練し、この混練物を型枠に流し込んで成形した後、硬化させることにより製造されるが、他の製造方法として、振動衝撃圧縮成形機を使用して粉体や粉粒体を圧縮成形する方法がある（例えば、特許文献１参照）。
特許文献１に記載の方法おいては、上板と下板を有する金型に粉体あるいは粉粒体を入れ、この金型を垂直方向の振動を発生させる加振器を備えた振動テーブルの上に載置し、加振器を起動させることにより密度が大きい成形体が得られる。
【０００５】
【特許文献１】
特公平４−１９９２１号公報
【０００６】
【発明が解決しようとする課題】
しかし、外観などの性状を変えた成形体、例えば、色付けされた成形体を製造する場合には、高価な着色剤あるいは別途に購入した材料を添加しなければならないので、製造コストが高くなることが問題になる。
【０００７】
又、成形体の用途によっては、成形体全体に高い性能が必要ではなく、表面部に高い性能の部分が形成されていれば、内部の性能についてはある程度のレベルのものであれば許容されるものもある。このような場合には、特定の性状を変えるための添加材料が無駄に消費されることになる。
【０００８】
本発明は、成形体を製造する際に、添加材料が大幅に減少し、製造コストの上昇が抑制される多層成形体及びその製造方法を提供することを目的とする。
【０００９】
【課題を解決するための手段】
本発明は、片面、両面、あるいは表面だけの性状を変えた成形体、すなわち、多層成形体を製造することにより、着色剤などの添加量を低減することを図ったものであり、次のような特徴を有する。
【００１０】
請求項１に記載の発明は、垂直方向の振動を発生させる加振器を備えた振動テーブルの上に載置した金型内で、組成が異なる複数の原料を振動衝撃圧縮成形した多層成形体であって、金型に組成が異なる複数の原料を区分して充填する操作の中に、次の（Ａ）から（Ｃ）の工程を含むことにより製造されたことを特徴とする多層成形体である。
（Ａ）原料の種類を横方向及び／又は縦方向に変える境界を設ける金型内の箇所に仮設の仕切り板を挿入する工程
（Ｂ）前記仕切り板によって仕切られた複数の区画に、それぞれ所定の組成を有する原料を装入する工程
（Ｃ）前記仕切り板を取り外す工程
請求項２に記載の発明は、垂直方向の振動を発生させる加振器を備えた振動テーブルの上に原料を充填した金型を載置し、前記加振器を作動させて原料を振動衝撃圧縮成形すると共に、性状が異なる複数の層が形成された多層成形体を製造する方法において、金型に組成が異なる複数の原料を区分して充填する操作の中に、次の（Ａ）から（Ｃ）の工程を含むことを特徴とする多層成形体の製造方法である。
（Ａ）原料の種類を横方向及び／又は縦方向に変える境界を設ける金型内の箇所に仮設の仕切り板を挿入する工程
（Ｂ）前記仕切り板によって仕切られた複数の区画に、それぞれ所定の組成を有する原料を装入する工程
（Ｃ）前記仕切り板を取り外す工程
片面又は両面の性状を変えたもののような、層の性状が一方向にだけに変わる多層成形体を製造する場合には、金型の底から順次組成が異なる原料を充填し、振動衝撃圧縮成形すればよい。しかし、２方向又は３方向に性状が異なる層が形成された多層成形体を製造する場合には、原料の種類を変える境界を横方向と縦方向に変えたり、さらに上下方向にも変えなければならないので、種類が異なる原料を区分して充填することはできない。
【００１１】
そこで、本発明においては、金型内に原料の種類を変える境界を横方向又は縦方向、あるいは横方向と縦方向の双方に設ける際に、その境界を設ける箇所にだけ、仮設の仕切り板を挿入して金型内を複数の区画に区分し、それぞれの区画に所定の種類の原料を充填する。そして、上記仕切り板を取り外し、必要に応じて、さらにその上に所定の原料を充填した後、振動衝撃圧縮成形する。
【００１２】
このようにして金型に原料を充填すれば、２方向又は３方向に性状が異なる層が形成された多層成形体を製造することができる。例えば、表面部だけが着色され、内部が無着色の多層成形体を製造することができる。これにより、着色剤の使用量が節減される。又、上記の方法によれば、表面部と内部にセメント配合率の異なった原料を充填することができ、表面部だけに強度の高い硬化部分が形成され、内部には強度は高くないが、高密度に圧縮された多層成形体を製造することができる。この多層成形体を漁礁用ブロックや波消ブロックなどの用途に適用すると、成形体に含まれるセメントの量が少ないので、成形体から溶出するセメントの成分（アルカリ成分）の量が少なくなるという効果が得られる。
【００１３】
【発明の実施の形態】
図１は本発明に係る実施の形態の一例を示す図で、表面部と内部の性状が異なる多層成形体を製造する際の原料の充填方法に係る説明図である。図１において、１０は金型である。
【００１４】
表面部の性状と内部の性状が異なる多層成形体を製造する場合、金型への原料の充填は次の順序で行う。
（ａ）図のように、最初に、金型１０の底部に表面部用の原料Ａの所定量を装入する。
（ｂ）図のように、装入された原料Ａの上に、底も蓋もない仮設用の枠板（仕切り板）２０を置き、先に装入された原料Ａの上を２つの区画に区分する。
（ｃ）図のように、仮設用の枠板２０によって区分された２つの区画に、それぞれ異なった性状の原料を装入する。金型の内壁側に形成された区画には原料Ａを装入し、仮設用の枠板２０によって囲われた金型の中心部側には内部用の原料Ｂを装入する。
（ｄ）図のように、仮設用の枠板２０を取り外す。
（ｅ）図のように、区分されて装入された２種類の原料の上に原料Ａの所定量を装入する。
【００１５】
上記のようにして充填された原料を振動衝撃圧縮成形することにより、表面部の性状と内部の性状が異なる多層成形体、例えば、表面部だけが着色され、内部が無着色の多層成形体が得られる。
【００１６】
【発明の効果】
以上述べた本発明によれば、成形体を製造する際に、添加材料が大幅に減少し、製造コストの上昇が抑制される。
【図面の簡単な説明】
【図１】本発明に係る実施の形態の一例を示す図であり、表面部と内部の性状が異なる多層成形体を製造する際の原料の充填方法に係る説明図である。
【符号の説明】
１０　金型
２０　仮設用の仕切り板
Ａ　表面部用の原料
Ｂ　内部用の原料
【図１】
2004098474.tif 000003